(57)【要約】【課題】１人の人間が持ち運んで簡単に据え付けることができ、基礎又は地下室のみならず、その他の上部建築物等をも含めた多目的利用を図ることのできるサイコロ型ブロック建材を提供する。【解決手段】このサイコロ型ブロック建材１は、１人の人間が手で持ち運んで簡単に据え付けることができるサイコロ型ブロックを単位として、それらを接続することにより、所定の建築構造物を形成しうるものであって、前記ブロックは、対向する各面間において、それぞれ中央振り分けに配置され、かつ互いに非干渉状態で締結具５を挿通可能な貫通孔２，３，４を有するものである。【選択図】図１
2013040552.tif 000002
【特許請求の範囲】
【請求項１】
１人の人間が手で持ち運んで簡単に据え付けることができるサイコロ型ブロックを単位として、それらを接続することにより、所定の建築構造物を形成しうるサイコロ型ブロック建材であって、
前記ブロックは、対向する各面間において、それぞれ中央振り分けに配置され、かつ互いに非干渉状態で第一の接続具を挿通可能な第一の孔を有することを特徴とするサイコロ型ブロック建材。
【請求項２】
前記ブロックは、対向する面間において、それらの中央で第二の接続具を貫通可能な第二の孔を有することを特徴とする請求項１記載のサイコロ型ブロック建材。
【請求項３】
前記第一の接続具は、第一の孔に埋没可能なナットと、このナットに螺合可能なボルトとを有することを特徴とする請求項１記載のサイコロ型ブロック建材。
【請求項４】
前記第二の接続具は、第二の孔に挿通可能なピアノ線を有することを特徴とする請求項２記載のサイコロ型ブロック建材。
【請求項５】
前記ブロックは、略１５ｋｇよりも軽量であることを特徴とする請求項１〜４のいずれか１項に記載のサイコロ型ブロック建材。
【請求項６】
前記ブロックは、セメントに繊維等を混入したものなどであることを特徴とする請求項１〜５のいずれか１項に記載のサイコロ型ブロック建材。
【請求項７】
前記ブロックは、シール材を介して接続可能であることを特徴とする請求項１〜６のいずれか１項に記載のサイコロ型ブロック建材。
【請求項８】
前記第一の孔、第二の孔は、水揚げ孔を兼ねることを特徴とする請求項２記載のサイコロ型ブロック建材。
【請求項９】
前記第一又は第二の接続具は、前記第一又は第二の孔に埋没可能な調整ナットと、この調整ナットに螺合可能な調整ボルトとを有し、
該調整ボルトの先端が前記ブロックの一面から突出するとともに、
前記調整ボルトの頭部が前記ブロックの他面から突出しており、該頭部を回転させることにより、前記調整ボルトの先端側の突出量を調整可能としたことを特徴とする請求項２記載のサイコロ型ブロック建材。
【請求項１０】
前記調整ボルトの先端は、前記ブロックの一面に対向配置された調整台に当接可能であることを特徴とする請求項９記載のサイコロ型ブロック建材。
【請求項１１】
前記ブロックが上下方向に複数個連設されているブロック群である場合には、
前記ブロックの一面は、最下部のブロックの底面であるとともに、
前記ブロックの他面は、最上部のブロックの天井面であることを特徴とする請求項９又は１０記載のサイコロ型ブロック建材。
【発明の詳細な説明】
【技術分野】
【０００１】
本発明は、サイコロ型ブロック建材に関するものである。
【背景技術】
【０００２】
従来の鉄筋コンクリート建築物の施工方法は、主として鉄筋組み立て、型枠組み立て、コンクリート打設、養生、型枠解体撤去等の現場作業からなっている。
【０００３】
現場作業は、立地条件や天候などに左右されやすく、安全上や日程管理上からもできるだけ少ないことが望ましい。そこで、例えば特許文献１では、隣接する中空体のブロックを締結孔に締結ボルトを用いて締結することにより基礎又は地下室をつくっておき、その基礎又は地下室に基礎ボルト、ナット等を用いて上部建築物を締結する技術が開示されている
【発明の概要】
【発明が解決しようとする課題】
【０００４】
しかしながら、上記特許文献１の技術では、各ブロックの側面同士をボルト締結して、基礎又は地下室をつくるための中空体のブロックが対象となっており、各ブロックの単体寸法を、縦２メートル、横２メートル、高さ２．６メートル相当とするとともに、その重量を５．５トン相当とするのがよい、としている。
【０００５】
このため、上記特許文献１の技術では、各ブロックの搬送や据え付け時に、重機を用いて施工する必要があり、大がかりなものとなっている。したがって、１人の人間が持ち運んで簡単に据え付けることができるものではなかった。また、基礎又は地下室だけをつくるといったように、その利用先も限定されていた。
【０００６】
本発明は、上記事情に鑑みたものであり、その目的とするところは、１人の人間が持ち運んで簡単に据え付けることができ、基礎又は地下室のみならず、その他の上部建築物等をも含めた多目的利用を図ることのできるサイコロ型ブロック建材を提供することである。
【課題を解決するための手段】
【０００７】
本発明は、１人の人間が持ち運んで簡単に据え付けることができるサイコロ型ブロックを単位として、それらを接続することにより、所定の建築構造物を形成しうるサイコロ型ブロック建材であって、前記ブロックは、対向する各面間において、それぞれ中央振り分けに配置され、かつ互いに非干渉状態で第一の接続具を挿通可能な第一の孔を有することを特徴とするものである。
【０００８】
本発明によれば、前記ブロックは、１人の人間が持ち運んで簡単に据え付けることができるものであるから、各ブロックの搬送や据え付け時に、重機を用いる必要がない。したがって、重機が入り込めないような狭隘な場所や軟弱地盤などでも施工が可能となる。
【０００９】
また、該ブロックは、対向する各面間において、それぞれ中央振り分けに配置され、かつ互いに非干渉状態で第一の接続具を挿通可能な第一の孔を有するので、前後・左右・上下のいずれの方向にも組み立てることが可能となる。
【００１０】
よって、上記特許文献１の技術のように、基礎又は地下室のみに限定されず、その上部建築物をも含めた多目的利用を図ることができる。例えば家屋の仮足場、階段、堤防の修理部材などである。
【００１１】
また、前記ブロックは、対向する面間において、それらの中央で第二の接続具を貫通可能な第二の孔を有することが好ましい。
【００１２】
この場合、前記ブロックは、対向する面間において、それらの中央で第二の接続具を貫通可能な第二の孔を有するので、例えば橋梁のように、複数のブロックを一列に並べて使用するときに有用である。
【００１３】
また、前記第一の接続具は、第一の孔に埋没可能なナットと、このナットに螺合可能なボルトとを有することが好ましい。
【００１４】
この場合、前記第一の接続具は、第一の孔に埋没可能なナットと、このナットに螺合可能なボルトとを有するので、ブロック間をほとんど隙間のない状態で締結することができる。
【００１５】
また、前記第二の接続具は、第二の孔に挿通可能なピアノ線を有することが好ましい。
【００１６】
また、前記第二の接続具は、第二の孔に挿通可能なピアノ線を有するので、一列に並べたブロック同士を強固に連結することができる。
【００１７】
また、前記ブロックは、略１５ｋｇよりも軽量であることが好ましい。
【００１８】
この場合、前記ブロックは、略１５ｋｇよりも軽量であるので、１人の人間が手で持ち運んで簡単に据え付けることができる。
【００１９】
また、前記ブロックは、セメントに補強材料を混入したものであることが好ましい。
【００２０】
また、前記ブロックは、セメントに補強材料を混入したものであるので、ブロックの強度を向上できる。
【００２１】
また、前記ブロックは、シール材を介して接続可能であることが好ましい。
【００２２】
この場合、前記ブロックは、シール材を介して接続可能であるので、雨水の侵入を防止できる。
【００２３】
また、前記第一の孔、第二の孔は、水揚げ孔を兼ねることが好ましい。
【００２４】
この場合、前記第一の孔、第二の孔は、水揚げ孔を兼ねるので、水が溜まることを防止できる。
【００２５】
ところで、サイコロ型ブロックを据え付ける場所は必ずしも平坦ではない。そこで、前記第一又は第二の接続具は、前記第一又は第二の孔に埋没可能な調整ナットと、この調整ナットに螺合可能な調整ボルトとを有し、該調整ボルトの先端が前記ブロックの一面から突出するとともに、前記調整ボルトの頭部が前記ブロックの他面から突出しており、該頭部を回転させることにより、前記調整ボルトの先端側の突出量を調整可能とすることが好ましい。
【００２６】
この場合、前記第一又は第二の接続具は、前記第一又は第二の孔に埋没可能な調整ナットと、この調整ナットに螺合可能な調整ボルトとを有し、該調整ボルトの先端が前記ブロックの一面から突出するとともに、前記調整ボルトの頭部が前記ブロックの他面から突出しており、該頭部を回転させることにより、前記調整ボルトの先端側の突出量を調整可能としたので、調整ボルトの先端側の突出量を調整するだけで、例えば傾斜した場所や階段状の場所などであっても、ブロックを容易に据え付けることができる。
【００２７】
また、例えば据え付ける場所が軟弱な地盤であると、調整ボルトの先端がめり込んでしまうおそれがある。そこで、前記調整ボルトの先端は、前記ブロックの一面に対向配置された調整台に当接可能であることが好ましい。
【００２８】
この場合、前記調整ボルトの先端は、前記ブロックの一面に対向配置された調整台に当接可能であるので、例えば軟弱な地盤であっても、ブロックを容易に据え付けることができる。
【００２９】
また、前記ブロックが上下方向に複数個連設されているブロック群である場合には、前記ブロックの一面は、最下部のブロックの底面であるとともに、前記ブロックの他面は、最上部のブロックの天井面であることが好ましい。
【００３０】
この場合、前記ブロックが上下方向に複数個連設されているブロック群である場合には、前記ブロックの一面は、最下部のブロックの底面であるとともに、前記ブロックの他面は、最上部のブロックの天井面であるので、前記ブロックが上下方向に複数個連設されているブロック群である場合であっても、そのブロック群を容易に据え付けることができる。
【発明の効果】
【００３１】
本発明によれば、前記ブロックは、１人の人間が持ち運んで簡単に据え付けることができるものであるから、各ブロックの搬送や据え付け時に、重機を用いる必要がない。したがって、重機が入り込めないような狭隘な場所や軟弱地盤などでも施工が可能となる。
【００３２】
また、該ブロックは、対向する各面間において、それぞれ中央振り分けに配置され、かつ互いに非干渉状態で第一の接続具を挿通可能な第一の孔を有するので、前後・左右・上下のいずれの方向にも組み立てることが可能となる。
【００３３】
よって、上記特許文献１の技術のように、基礎又は地下室のみに限定されず、その上部建築物をも含めた多目的利用を図ることができる。例えば家屋の仮足場、階段、堤防の修理部材などである。
【図面の簡単な説明】
【００３４】
【図１】本発明の実施形態１に係るサイコロ型ブロック建材の斜視図である。
【図２】本サイコロ型ブロック建材の平面図である。
【図３】本サイコロ型ブロック建材の正面図である。
【図４】本サイコロ型ブロック建材の右側面図である。
【図５】本サイコロ型ブロック建材のＡ−Ａ断面図である。
【図６】本サイコロ型ブロック建材の締結具を示す説明図である。
【図７】本サイコロ型ブロック建材の組立例を示す説明図である。
【図８】本発明の変形例に係るサイコロ型ブロック建材の平面図である。
【図９】本発明の実施形態２に係るサイコロ型ブロック建材の縦断面図である。
【図１０】本実施形態２に係るサイコロ型ブロック建材の組立例を示す説明図である。
【発明を実施するための形態】
【００３５】
（実施形態１）
図１は本発明の実施形態１に係るサイコロ型ブロック建材１の全体構成を示す斜視図である。なお、以下では、各図中の紙面に沿った上下方向などをそのまま用いて、各要素の位置・姿勢等を表現することがある。
【００３６】
図１に示すように、このサイコロ型ブロック建材１は、コンクリート製の本体１０を備えており、この本体の形状は、天井面１１、底面１２、正面１５、背面１６、右側面１３、左側面１４を有する正立方体をなしている。
【００３７】
本体１０は、例えばセメントに補強材料としての山砂、石灰砂、砕石、繊維などを適宜混入して、ひび割れを防止するとともに、その強度を高めている。また、本体寸法を、上下左右前後で１８ｃｍ程度とすることにより、建材としての使い勝手がよくなり、かつ、本体重量を１０〜１５ｋｇ程度に抑えて、１人の人間が簡単に持つことができるようになっている。
【００３８】
図２は本サイコロ型ブロック建材１の平面図、図３はその正面図、図４はその右側面図、図５は図４のＡ−Ａ断面図である。
【００３９】
天井面１１は、図２に示すように、周辺部に形成した角溝１０１と、角溝１０１内の四隅に形成した貫通孔２（２１，２２，２３，２４）と、中央に形成した貫通孔６とを備えている。底面１２は、天井面１１とほぼ同様であるので図示は省略するが、周辺部に形成した角溝１０２と、角溝１０２内の四隅に形成した貫通孔２（２１，２２，２３，２４）と、中央に形成した貫通孔６とを備えている。なお、これらの貫通孔２，３，４，６は、ブロックを、例えばべた基礎に使用したときに、水揚げ孔としても機能するものである。貫通孔２，３，４が第一の孔に相当し、貫通孔６が第二の孔に相当する。
【００４０】
正面１５は、図３に示すように、周辺部に形成した角溝１０５と、角溝１０５内の四隅の上下左右両方向でやや中央よりの位置に形成した貫通孔４（４１，４２，４３，４４）とを備えている。背面１６は、正面１５とほぼ同様であるので図示は省略するが、周辺部に形成した角溝１０６と、角溝１０６内の四隅の上下左右両方向でやや中央よりの位置に形成した貫通孔４（４１，４２，４３，４４）とを備えている。
【００４１】
右側面１３は、図４に示すように、周辺部に形成した角溝１０３と、角溝１０３内の四隅の左右方向でやや中央よりの位置に形成した貫通孔３（３１，３２，３３，３４）とを備えている。左側面１４は、右側面１３とほぼ同様であるので図示は省略するが、周辺部に形成した角溝１０４と、角溝１０４内の四隅の左右方向でやや中央よりの位置に形成した貫通孔３（３１，３２，３３，３４）とを備えている。
【００４２】
角溝１０３は、図５に示すように、右側面１３の表面から浅めに形成されており、この角溝１０３に図示しないゴム製などのシール材が嵌め込み可能となっている。他の角溝１０１，１０２，１０４，１０５，１０６についても同様である。
【００４３】
貫通孔３（３１，３２，３２，３３）は、図５に示すように、右側面１３から左側面１４まで貫通する貫通部と、この貫通部より若干拡径された開口部とを備えている。他の面における貫通孔２（２１，２２，２３，２４），４（４１，４２，４３，４４），６についても同様である。なお、開口部を拡径したのは、ここにボックスレンチを入れて締結具５の締結作業をするためである。
【００４４】
図６は本サイコロ型ブロック建材１の締結具５を示す説明図であって、（ａ）はボルト５１の正面図と側面図、（ｂ）はナット５２の側断面図と正面図である。
【００４５】
図６に示すように、本サイコロ型ブロック建材１の締結具（第一の接続具に相当する。）５は、貫通孔２，３，４に埋没可能なナット５２と、このナット５２に螺合可能なボルト５１とが対にして設けられている。そして、ナット５２は右側面１３の貫通孔３（３１，３２，３２，３３）に埋没されている。このナット５２に、隣り合うブロック建材１を挿通するボルト５１をねじ込むことにより、両ブロック建材１間を隙間なく締結できるようになっている。他の面における貫通孔２（２１，２２，２３，２４），４（４１，４２，４３，４４）についても同様である。
【００４６】
図７は本サイコロ型ブロック建材１の使用例の説明図であって、（ａ）は縦梁状組立体の概念図、（ｂ）は横梁状組立体の概念図、（ｃ）は格子状組立体の概念図、（ｄ）は千鳥状組立体の概念図をそれぞれ示す。以下、詳述する。
【００４７】
縦梁状組立体は、図７（ａ）に示すように、本サイコロ型ブロック建材１を上下方向に一列に連結してなっている。その組立方法としては、まず、本サイコロ型ブロック建材１を複数個用意しておき、その１つを人間が持ち運んで所定場所に置く。その上にもう１つのブロックを積み、両ブロックを締結具５で締結する。このようにして、例えば本サイコロ型ブロック建材１を下に継ぎ足していくことで、狭い場所での仮足場の組み立てが可能となる。また、例えば外壁を組み立てる場合には、ブロック間にゴムシール材やフィルム等を介在させると、継ぎ目から雨水が入るのを防止できる。
【００４８】
横梁状組立体は、図７（ｂ）に示すように、本サイコロ型ブロック建材１を左右又は前後方向に一列に連結してなっている。これを橋梁に使用するときには、貫通孔６が横向きになるようにして、本サイコロ型ブロック建材１を一列に連結しておく。そして、各サイコロ型ブロック建材間で連続する貫通孔６に、ピアノ線（第二の接続具に相当する。）７を貫通させることで、一列に並べたブロック建材同士を強固に連結することができる。
【００４９】
格子状組立体は、図７（ｃ）に示すように、本サイコロ型ブロック建材１を上下、左右又は前後方向のいずれか２方向に格子状に並べて連結してなっている。これを、べた基礎として使用したときに、貫通孔２，３，４，６が、水揚げ孔としても機能するものであるから、その基礎の下に水が溜まることを防止できる。また、格子状組立体を複数段重ねると、枡状組立体となる。
【００５０】
千鳥状組立体は、図７（ｄ）に示すように、本サイコロ型ブロック建材１を上下、左右又は前後方向のいずれか２方向に千鳥状に並べて連結してなっている。
【００５１】
このように、本サイコロ型ブロック建材１を使用すると、型枠なしで、さまざまな物ができる。例えば（１）家や倉庫などは、強度、耐震性を考えて組んでいけばよい。（２）塀は、掘り方をしてランまで付くだけでいける。ただし、場所による。（３）擁碧は、型枠の代わりにして、組みながら生コンを入れていけば、１０メートル、２０メートルと高く伸びていく。（４）仮設の橋は、上記したように、強度や場所にもよるが、原則としてピアノ線を使用すればよい。（５）階段は、取付場所さえ把握すれば、山、川、家のどこにでもつけることができる。（６）仮設の道は、狭くても、広くても、状態を見ながら組んでいくことができる。（７）側溝は、場所による。（８）強度にもよるが、Ｌ型土留め凸型が現場ですぐに組める。（８）弱い地盤であれば、一帯に組んで生コンを打てばよいが、場所による。（９）その他いろいろ工夫すれば、いろんな場所で使用できる。すなわち、手で持てるサイコロ型ブロックであるから、誰にでも少し慣れると上手に組める。
【００５２】
以上説明したように、本実施形態１に係るサイコロ型ブロック建材１は、１人の人間が持ち運んで簡単に据え付けることができるものであるから、各ブロックの搬送や据え付け時に、重機を用いる必要がない。したがって、重機が入り込めないような狭隘な場所や軟弱地盤などでも施工が可能となる。
【００５３】
また、該ブロックは、対向する各面間において、それぞれ中央振り分けに配置され、かつ互いに非干渉状態で締結具５を挿通可能な貫通孔２，３，４を有するので、前後・左右・上下のいずれの方向にも組み立てることが可能となる。
【００５４】
よって、上記特許文献１の技術のように、基礎又は地下室のみに限定されず、その上部建築物をも含めた多目的利用を図ることができる。例えば家屋の仮足場、階段、堤防の修理部材などである。
【００５５】
なお、上記実施形態１では、本サイコロ型ブロック建材１の各面１１〜１６に、それぞれシール材を挿入するための角溝１０１〜１０６を設けているが、雨水の侵入などがありえない場所に使用するときには、かかる角溝は不要である。角溝に代えて、半円状、Ｕ字状、Ｖ字状溝であってもよい。また、貫通孔２，３，４，６の配置は、互いに干渉しない限り、任意に配置できる。たとえば、図８のサイコロ型ブロック建材１ａの天井面１１に示すように、角溝を設けることなく、また、貫通孔２ａ（２１ａ，２２ａ，２３ａ，２４ａ）、貫通孔６を十字形に配置してもよい。
【００５６】
また、上記実施形態１では、本サイコロ型ブロック建材１として、コンクリート製のブロックを例示したが、アルミニウム、鉄、ステンレス鋼などの金属製、プラスチックなどの合成樹脂製、集成材などの木製、シリコンゴムなどのゴム製その他のあらゆる材料のものとすることができる。
【００５７】
また、上記実施形態１では、ボルト・ナットからなる締結具５を使用しているが、その強度があまり要求されないときには、本サイコロ型ブロック建材１のいずれかの面に、大小孔が連通するように形成しておいて、その大孔から差し込んだフックを小孔に移動させることで固定する、いわゆる落とし込みや、流し込みなどの手法にて連結することとしてもよい。
【００５８】
また、上記実施形態１では、サイコロ型ブロック建材１の寸法を上下左右前後で１８ｃｍ程度であるとしているが、重量が１０〜１５ｋｇ程度に収まり、かつ、締結具５が非干渉状態で挿通可能な貫通孔２，３，４，６を配置できる限り、上下左右前後で１５ｃｍ程度としてもよい。また、正立方体としているが、場合によっては、直方体となっていてもよい。
【００５９】
（実施形態２）
ところで、サイコロ型ブロック建材１を据え付ける場所は、必ずしも平坦で硬い地盤ではなく、傾斜したり、階段状であったり、さらには軟弱な地盤であることがある。そこで、本発明者は上記実施形態１をベースにして、さらなる工夫を加えることにより、以下のような実施形態２を開発するに至った。図９は本実施形態２に係るサイコロ型ブロック建材１の縦断面図、図１０はその組立例を示す説明図である。なお、本実施形態２では、上記実施形態１と共通する要素には同一符号を付して、その重複説明をできるだけ省略した。
【００６０】
本実施形態２に係るサイコロ型ブロック建材１は、例えば上記図１〜４に示したものと同様のコンクリート製の本体１０を備えており、この本体１０の形状は、天井面１１、底面１２、右側面１３、左側面１４、正面１５、背面１６を有する正立方体をなし、貫通孔２，３，６と、角溝１０１，１０２，１０３，１０４，１０５，１０６とを備えている。
【００６１】
ただし、本実施形態２に係るサイコロ型ブロック建材１の締結具（第一の接続具に相当する。）８は、第一の孔としての貫通孔６に埋没可能な調整ナット８３，８４と、これらの調整ナット８３，８４に螺合可能な調整ボルト８１とが対にして設けられている。
【００６２】
調整ナット８３，８４は、天井面１１と底面１２とをそれぞれの中央で貫通する貫通孔６（第一の孔に相当する。）の拡開部にそれぞれ埋没されている。
【００６３】
調整ボルト８１は、その六角形状の頭部が天井面１１から若干突出するとももに、適当なアール部を備えた先端８２が底面１２から若干突出するようになっている。そして、六角レンチなどを用いて、調整ボルト８１の頭部を時計まわりあるいは反時計回りに回転させることにより、先端８２の突出量を調整可能としている。
【００６４】
また、調整ボルト８１の先端８２は、本体１０の底面１２に対向配置された調整台９に当接可能である。
【００６５】
調整台９は、例えば高性能セメント、石灰砂、石灰石微粉末（ネオフロー８０：清水工業株式会社の登録商標）、砕砂、砕石（直径が５〜２５ｍｍ程度である。）、繊維、混和剤、混和材、三分金、五分金などを使って高強度に作られたコンクリート製のものである。調整台９は、本体１０の受け皿となるためその平面形状を本体１０の底面１２と同じく１８ｃｍ×１８ｃｍ程度とするとともに、厚みを８ｃｍ程度としており、また１人の人間が手で持ち運びできる範囲となるように、重量を１０〜１５ｋｇ程度としている。
【００６６】
この調整台９を、軟弱な地盤上の適宜位置に敷設する。その上に、上記図７（ａ）〜（ｄ）のいずれかの方法で上下方向に複数個連設するように組み立てるブロック群の最下位となるサイコロ型ブロック建材１，１，・・・を載せて、それらを前後左右方向に適宜連結すると、例えば図１０に示すような平面配置が得られる。
【００６７】
そして、上下方向に複数個連設されているブロック群の最上位となるサイコロ型ブロック建材１，１，・・・の各本体１０の天井面１１から若干突出した調整ボルト８１の頭部を例えば六角レンチで時計まわりに回転させることにより先端８２の突出量を増大させ、反時計まわりに回転させることにより先端８２の突出量を減少させる。このとき、水準器などを用いて、サイコロ型ブロック建材１，１，・・・の各本体１０の水平度を適宜確認しながら、上記調整を行うのが好ましい。
【００６８】
このようにして、本実施形態２によれば、調整ボルト８１の先端８２の突出量を調整するだけで、例えば多少傾斜した場所や階段状の場所や軟弱な地盤であっても、サイコロ型ブロック建材１，１，・・・を容易に据え付けることができる。
【００６９】
なお、上記実施形態２では、サイコロ型ブロック建材１の締結具８は、貫通孔６に埋没可能な調整ナット８３，８４と、これらの調整ナット８３，８４に螺合可能な調整ボルト８１とが対にして設けられているが、その要目は要求される強度などによって決定される。例えば１個のサイコロ型ブロック建材１に加わる重量が大きくて、調整ボルト８１に加わる軸力が大きくなるときには、第一の孔としての貫通孔２（２１，２２，２３，２４）に同様の締結具（この場合は、第一の接続具に相当する。）を備えることにより、そのサイコロ型ブロック建材１に５個の締結具を備えることができる。この逆に、例えば１個のサイコロ型ブロック建材１に加わる重量が小さくて、調整ボルト８１に加わる曲げモーメントが小さくなるときには、調整ナット８３，８４の一方を省略することもできる。
【００７０】
また、上記実施形態２では、サイコロ型ブロック建材１の締結具８は、上下方向に設けられているが、前後左右のいずれかの方向であってもよい。その場合は、例えば垂直壁あるいは傾斜壁から、サイコロ型ブロック建材１を適宜支持することができて便利である。
【００７１】
また、上記実施形態２では、調整台９の形状は、１個のサイコロ型ブロック建材１の本体１０の底面１２に応じた形状としているが、複数個のサイコロ型ブロック建材１，１，・・・をカバーするものとしてもよい。この場合でも、調整台９の寸法や重量は、１人の人間が持ち運びできる上記範囲であることが好ましい。
【００７２】
また、上記実施形態２では、調整台９の断面形状は、やや扁平の四角形状となっているが、例えば台形や階段状などとしておくこととしてもよい。この場合には、大きく傾斜した地盤や階段状の地盤にも適用できて便利である。また、調整台９の調整ボルト８１の先端８２が当接する面には、該調整ボルト８１の先端８２が滑らないように凹部を設けてもよいし、さらに、該凹部まわりを適宜の方法で補強しておいてもよい。
【符号の説明】
【００７３】
１  本サイコロ型ブロック建材
１０  本体
１１  天井面
１２  底面
１３  右側面
１４  左側面
１５  正面
１６  背面
１０１，１０２，１０３，１０４，１０５，１０６  角溝
２（２１，２２，２３，２４）  貫通孔（第一の孔に相当する。）
３（３１，３２，３３，３４）  貫通孔（第一の孔に相当する。）
４（４１，４２，４３，４４）  貫通孔（第一の孔に相当する。）
５  締結具（第一の接続具に相当する。）
５１  ボルト
５２  ナット
６  貫通孔（第二の孔に相当する。）
７  ピアノ線（第二の接続具に相当する。）
８  締結具（第一又は第二の接続具に相当する。）
８１  調整ボルト
８２  調整ボルトの先端
８３，８４  調整ナット
９  調整台
【先行技術文献】
【特許文献】
【００７４】
【特許文献１】特開２００２−２８５５６５号公報
【図１】
2013040552.tif 000003
【図２】
2013040552.tif 000004
【図３】
2013040552.tif 000005
【図４】
2013040552.tif 000006
【図５】
2013040552.tif 000007
【図６】
2013040552.tif 000008
【図７】
2013040552.tif 000009
【図８】
2013040552.tif 000010
【図９】
2013040552.tif 000011
【図１０】
2013040552.tif 000012